(57)【要約】      （修正有）【課題】装着が容易であり、装着時または装着中に耳掛け部分が引き裂け難く、肌への追随性、密着性、リフトアップ性を有する耳掛け式フェイスマスクを提供する。【解決手段】少なくとも１つの繊維層を含む不織布を、着用時に、鼻より下の顔の部位を覆うようにＶ字型の形状に打抜き成形してなるフェイスマスク１であって、フェイスマスクの両端部の耳に対応する左右の位置に開口部からなる耳掛け孔２を有し、口に対応する位置に開口部３を有し、耳掛け孔の長軸の方向が、不織布のＭＤ方向と交差している。【選択図】図１
0003187086.tif 000002
【実用新案登録請求の範囲】
【請求項１】
少なくとも１つの繊維層を含む不織布を、着用時に、鼻より下の顔の部位を覆うようにＶ字型の形状に打抜き成形してなるフェイスマスクであって、
フェイスマスクの両端部の耳に対応する左右の位置に開口部からなる耳掛け孔を有し、
口に対応する位置に開口部を有し、
耳掛け孔の長軸の方向が、不織布のＭＤ方向と交差する耳掛け式フェイスマスク。
【請求項２】
耳掛け孔が、楕円形または涙滴型の孔であり、それぞれの孔の長軸が、水平方向に対して傾斜をなすように、フェイスマスクの中央部からフェイスマスクのそれぞれの幅方向端部に向かって上昇しており、該孔の長軸と短軸との比率が、４５：１〜２：１の範囲である請求項１記載の耳掛け式フェイスマスク。
【請求項３】
フェイスマスクの端部と耳掛け孔の端部との距離が１０ｍｍ以上である請求項１または請求項２に記載の耳掛け式フェイスマスク。
【請求項４】
前記繊維層を構成する繊維が、着用時の顔の上下方向に配列する請求項１〜３のいずれか１項に記載の耳掛け式フェイスマスク。
【請求項５】
前記不織布が、伸縮性を有する不織布である請求項１〜４のいずれか１項に記載の耳掛け式フェイスマスク。
【考案の詳細な説明】
【技術分野】
【０００１】
本考案は、装着が容易で、肌への追随性、密着性およびリフトアップ性を有する耳掛け式フェイスマスクに関する。
【背景技術】
【０００２】
従来から、肌への追随性、密着性、リフトアップ性を訴求した耳掛け式フェイスマスクは多数提案されている（例えば、特許文献１を参照。）。しかしながら、装着時または装着中に耳掛け部分が引き裂けやすいなどの使い難い欠点があった。
【先行技術文献】
【特許文献】
【０００３】
【特許文献１】実用新案登録第３１７６６３６号
【考案の概要】
【考案が解決しようとする課題】
【０００４】
本考案は、装着が容易であり、装着時または装着中に耳掛け部分が引き裂け難く、肌への追随性、密着性、リフトアップ性を有する耳掛け式フェイスマスクを提供することを課題とする。
【課題を解決するための手段】
【０００５】
前記課題を解決するために本考案者は鋭意検討を行った。その結果、特定の構成を有する耳掛け式フェイスマスクを使用すれば、上記課題を解決できることを見出し、これをもとに本考案を完成させた。
【０００６】
すなわち、本考案の要旨は以下の通りである。
［１］  少なくとも１つの繊維層を含む不織布を、着用時に、鼻より下の顔の部位を覆うようにＶ字型の形状に打抜き成形してなるフェイスマスクであって、フェイスマスクの両端部の耳に対応する左右の位置に開口部からなる耳掛け孔を有し、口に対応する位置に開口部を有し、耳掛け孔の長軸の方向が、不織布のＭＤ方向と交差する耳掛け式フェイスマスク。
［２］  耳掛け孔が、楕円形または涙滴型の孔であり、それぞれの孔の長軸が、水平方向に対して傾斜をなすように、フェイスマスクの中央部からフェイスマスクのそれぞれの幅方向端部に向かって上昇しており、該孔の長軸と短軸との比率が、４５：１〜２：１の範囲である前記［１］項に記載の耳掛け式フェイスマスク。
［３］  フェイスマスクの端部と耳掛け孔の端部との距離が１０ｍｍ以上である前記［１］項または前記［２］項に記載の耳掛け式フェイスマスク。
［４］  前記繊維層を構成する繊維が、着用時の顔の上下方向に配列する前記［１］〜［３］のいずれか１項に記載の耳掛け式フェイスマスク。
［５］  前記不織布が、伸縮性を有する不織布である前記［１］〜［４］のいずれか１項に記載の耳掛け式フェイスマスク。
【考案の効果】
【０００７】
本考案の耳掛け式フェイスマスクは、肌への追随性、密着性およびリフトアップ性の高い形状である。また、形状がシンプルなので、使用者が左右の耳に掛けて使用する方法がわかり易く、容易に使用することができる。さらに、不織布を構成する繊維の配列方向と交差する方向に耳掛け孔を有し、かつ耳掛け孔をマスクの外縁となる端部に対して十分な距離を保つデザインとしているので、装着時または装着中にマスクを引っ張っても耳掛け部分が引き裂けにくい。
【０００８】
本考案の耳掛け式フェイスマスクは、装着中に強い肌密着感とリフトアップ感を感じるので、消費者の満足度が高いなどの付加価値の高い商品とすることができる。
【図面の簡単な説明】
【０００９】
【図１】本考案の耳掛け式フェイスマスクの平面図である。
【考案を実施するための形態】
【００１０】
以下、本考案について、図面を参照して詳細に説明する。
【００１１】
本考案の耳掛け式フェイスマスクは、図１に示すような、少なくとも１つの繊維層を含む不織布（４）を着用時に、鼻より下の顔の部位を覆うようにＶ字型の形状に打抜き成形してなるフェイスマスク（１）である。
【００１２】
不織布からなるフェイスマスク（１）は、ヒトの鼻より下の顔の部位を覆うことができる大きさの略Ｖ字型の形状を有しており、フェイスマスクの両端部の耳に対応する左右の位置に開口部からなる耳掛け孔（２）が設けられている。また、フェイスマスクの口下に対応する位置に開口部（３）が設けられている。さらに、耳掛け孔（２）は、その長軸の方向が、不織布のＭＤ方向（７）と交差するように設けられている。なお、不織布のＭＤ方向とは、不織布の機械方向を示す。
【００１３】
本考案の耳掛け式フェイスマスクは、耳掛け孔（２）の形状を、楕円形または涙滴型とすることが好ましい。耳掛け孔を楕円形または涙滴型の孔とした場合、該孔の長軸が、水平方向に対して傾斜をなすように、フェイスマスクの中央部からフェイスマスクのそれぞれの幅方向端部に向かって上昇し、かつ該孔の長軸と短軸との比率が、４５：１〜２：１の範囲であることが好ましい。さらに、該比率が、２５：１〜２：１であることがより好ましい。このような比率とすることにより、ヒトの耳に耳掛け孔（２）を容易に装着することができる。
【００１４】
本考案の耳掛け式フェイスマスクは、フェイスマスクの端部（５）と耳掛け孔の端部（６）との距離が１０ｍｍ以上であることが好ましい。該距離を１０ｍｍ以上とすることで、フェイスマスクの外縁部である端部に対して十分な距離を保つデザインとなり、フェイスマスクの装着時または装着中にフェイスマスクを引っ張っても耳掛け部分が引き裂けにくくなるため、好ましい。
【００１５】
本考案の耳掛け式フェイスマスクは、不織布に含まれる繊維層を構成する繊維が、フェイスマスク着用時の顔の上下方向に配列することが好ましい。不織布が、複数の繊維層からなる場合には、不織布の主成分となる繊維層を構成する繊維が、フェイスマスク着用時の顔の上下方向に配列することが好ましい。このように配列することにより、フェイスマスクの装着時または装着中にフェイスマスクを引っ張っても耳掛け部分が引き裂けにくくなる。不織布を構成する繊維を、フェイスマスク着用時に顔の上下方向に配列させるためには、着用時の顔の上下方向に、不織布のＭＤ方向を合わせればよい。
【００１６】
本考案の耳掛け式フェイスマスクに用いる不織布は、伸縮性を有する不織布であることが好ましい。不織布としては、特に限定されず、既知の方法で製造された、湿式不織布、乾式不織布、スパンボンド不織布、メルトブローン不織布、スパンボンド不織布とメルトブローン不織布の積層不織布が使用できる。このうち、スパンボンド不織布、メルトブローン不織布、スパンボンド不織布とメルトブローン不織布の積層不織布は仕上剤（表面処理剤）が使用されていないことから、夾雑物の混入を嫌う化粧品用途に好適に使用できる。
【００１７】
伸縮性を有する不織布とするためには、不織布の原料繊維として、エラストマー繊維を用いることが好ましい。エラストマー繊維としては、スチレン系エラストマー繊維、オレフィン系エラストマー繊維、エステル系エラストマー繊維、ポリアミド系エラストマー繊維、及び、ウレタン系エラストマー繊維から選ばれた少なくとも１種のエラストマー繊維であることが好ましい。特に、フェイスマスクの装着時の伸縮性に伴う装着感、伸縮性等に伴う装着安定性などの点で、スチレン系エラストマー繊維、オレフィン系エラストマー繊維、及び、ウレタン系エラストマー繊維から選ばれた少なくとも２種のエラストマー繊維であることが好ましい。
２種以上のエラストマー繊維の混合物としては、例えば、１〜９９質量％のスチレン系エラストマー繊維と、９９〜１質量％のオレフィン系エラストマー繊維との混合、１〜９９質量％のウレタン系エラストマー繊維と、９９〜１質量％のオレフィン系エラストマー繊維との混合物などを挙げることができる。これら混合するエラストマー繊維の種類や量比によって、フェイスマスクの柔軟性や伸縮性を高くすることができるので、好ましく使用することができる。
【００１８】
本考案でいう打抜き成形とは、不織布等のシートの一部を打ち抜いて所望の形状に成形する手法をいう。この成形加工には、トムソン式カッター、ロータリー式ダイカッター等の汎用のシート材打抜き装置を用いることができる。
【産業上の利用可能性】
【００１９】
本考案の耳掛け式フェイスマスクの使用により、肌への追随性、密着性、リフトアップ性が高く、消費者の満足度が高い商品を得ることができる。
【符号の説明】
【００２０】
１  フェイスマスク
２  開口部（耳掛け孔）
３  開口部（口に対応する位置）
４  不織布
５  フェイスマスクの端部
６  耳掛け孔の端部
７  不織布のＭＤ方向を示す矢印
【図１】
0003187086.tif 000003